(57)【要約】【課題】２層ＤＶＤ−Ｒディスクのマルチボーダー記録において、ＡＶＤＰの記録位置が隣接していると、前記記録位置にディスクの欠陥が生じた場合に、ＡＶＤＰデータを読みとることができなくなってしまう。本発明ではＡＶＤＰの記録位置を隣接させないようにすることで、ディスクに欠陥が生じても良好にＡＶＤＰデータを読み取ることを可能とする光ディスク記録再生装置および光ディスク媒体を提供する。【解決手段】  複数の記録層を持つ追記型の光ディスクのボーダーエリアの最外周の近傍位置に、ファイルシステムの位置情報にかかる情報を記録することを特徴とする光ディスク記録装置。【選択図】  図１
2006114188.tif 000002
【特許請求の範囲】
【請求項１】
複数の記録層を持つ追記型の光ディスクのボーダーエリアの最外周の近傍位置に、ファイルシステムの位置情報にかかる情報を記録することを特徴とする光ディスク記録装置。
【請求項２】
複数の記録層を持つ追記型の光ディスクのボーダーエリアの最外周の近傍位置に、ファイルシステムの位置情報にかかる情報を記録し、さらにボーダーイン領域とボーダーアウト領域にボーダー内でファイルシステムの位置情報にかかる情報を記録した位置にかかる情報を記録することを特徴とする光ディスク記録装置。
【請求項３】
請求項１に記載の光ディスク記録装置にて記録したディスクを再生する光ディスク再生装置であって、上位装置から、他の位置に記録されたファイルシステムの位置情報にかかる情報を読み出す命令を受け取った際に、その他の位置に記録された情報を読み出すかあるいはまたボーダーエリアの最外周の近傍位置に記録されたファイルシステムの位置情報にかかる情報を読み出すことを特徴とする光ディスク再生装置。
【請求項４】
請求項２に記載の光ディスク記録装置にて記録したディスクを再生する光ディスク再生装置であって、上位装置から、他の位置に記録されたファイルシステムの位置情報にかかる情報を読み出す命令を受け取った際に、最外周のボーダーのボーダーイン領域あるいはまたボーダーアウト領域に記録されたボーダー内でファイルシステムの位置情報にかかる情報を記録した位置にかかる情報を読み取って、その情報の位置のデータあるいはまたそのボーダーの最外周の近傍位置に記録されたファイルシステムの位置情報にかかる情報を読み出すことを特徴とする光ディスク再生装置。
【請求項５】
最外周の近傍位置がボーダーアウト領域であること特徴とする請求項１または２に記載の光ディスク記録装置。
【請求項６】
最外周の近傍位置がボーダーアウト領域であること特徴とする請求項３または４に記載の光ディスク再生装置。
【請求項７】
請求項１または２または５に記載の光ディスク記録装置にて記録された、複数の記録層を持つ追記型の光ディスク。
【発明の詳細な説明】
【技術分野】
【０００１】
本発明は２層DVD-Rディスク記録方式に係り、特にマルチボーダ記録の際のAVDPの記録位置を置き換えることにより、傷等による信頼性低下を防ぐことが可能となる記録方式に関するものである。
【背景技術】
【０００２】
近年、ＤＶＤ(Digital Versatile Disc)に代表される、高密度光ディスクの開発が進み、規格の標準化が進められた。これにより、ＵＤＦ(Universal Disk Format)が策定された。再生専用のＤＶＤ−ＲＯＭや、書込み可能なＤＶＤ−Ｒでは、このＵＤＦに従った論理フォーマットが用いられる。
【０００３】
ＵＤＦは、階層的なファイルシステムによって構成され、ルート・ディレクトリに格納された情報からサブ・ディレクトリや実体的なファイルが参照される。そして、ＵＤＦは、サブ・ディレクトリに格納された情報から、さらに別のサブ・ディレクトリの参照や、実体的なファイルの参照がなされる。以下、ディレクトリを「Ｄｉｒ．」と略記する。
【０００４】
すなわち、ディスク上の記録領域は、セクタを最小単位としてアクセスされ、例えば、
ＤＶＤ−ＲＯＭでは、ディスクの内側から外側へとアクセスがなされる。最内周側から、リードイン領域に続けてボリューム情報が書き込まれるシステム領域が配され、ここに、ＶＲＳ(Volume Recognition Sequence)、ＭＶＤＳ(Main Volume Descriptor Sequence)、ＬＶＩＳ(Logical Volume Integrity Sequence)およびＡＶＤＰ（Anchor Volume Descriptor Pointer）が書き込まれる。
【０００５】
ルート・Ｄｉｒ．のファイル・エントリ(File Entry、以下、「ＦＥ」と略記する。)が書き込まれる記録領域の位置は、ＡＶＤＰからＭＶＤＳおよびＦＳＤを順に参照することで認識される。
【０００６】
ＦＥは、ファイルやディレクトリの属性情報およびアロケーション・ディスクリプタ(Allocation Descriptor、以下、「ＡＤ」と略記する。)からなる。ＡＤは、ファイルやディレクトリの論理アドレスと大きさとの情報である。
【０００７】
ルート・Ｄｉｒ．のＦＥにおいて、ＡＤによって実体としてのルート・Ｄｉｒ．の論理アドレスと大きさとが示される。ルート・Ｄｉｒ．は、１または複数のファイル識別記述子(File Identifier Descriptor、以下、「ＦＩＤ」と略記する。)を含み、ＦＩＤによって、ルート・Ｄｉｒ．下にあるサブ・Ｄｉｒ．のＦＥやファイルのＦＥが参照される。これらのＦＥによって、それぞれ対応するサブ・Ｄｉｒ．やファイルの実体がそれぞれのＡＤによって参照される。また、サブ・ Ｄｉｒ．の実体は、さらに１または複数のＦＩＤを含むことができる。すなわち、ＵＤＦにおいて、ルート・Ｄｉｒ．以外は、ＦＩＤおよびＦＥをポインタとして、ＦＩＤ、ＦＥおよび実体の順にアクセスが行われる。ＵＤＦでは、このＦＩＤ、ＦＥおよび実体は、記録可能な領域のどこに書き込んでも良い。
【０００８】
例えば、ディスクの最内周にリードイン領域が配され、このリードイン領域の外周にシステム領域が配される。ルート・Ｄｉｒ．の実体は、例えば、このシステム領域の外側に配される。
【０００９】
ルート・Ｄｉｒ．からサブ・Ｄｉｒ．を介してファイルにアクセスする場合について説明すると、以下のようになる。つまり、ルート・Ｄｉｒ．の実体のＦＩＤに基づき、ルート・Ｄｉｒ．の実体から物理的に離れたアドレスにあるサブ・Ｄｉｒ．のＦＥが参照される。さらに、サブ・Ｄｉｒ．のＦＥのＡＤに基づき、サブ・Ｄｉｒ．のＦＥから離れたアドレスにあるサブ・Ｄｉｒ．の実体が参照される。
【００１０】
同様にして、サブ・Ｄｉｒ．の実体のＦＩＤが参照されてサブ・Ｄｉｒ．の実体から離れたアドレスにあるファイルのＦＥが参照され、このファイルのＦＥのＡＤにより、ファイルのＦＥから離れたアドレスにあるファイルの実体が参照される。
【００１１】
さて、ＡＶＤＰは、論理アドレス番号２５６のセクタと、最終記録論理アドレスＮのセクタとＮ-２５６のセクタのいずれか２つ以上の場所に記録される。これは、ディスクに欠陥が発生してＡＶＤＰが読み出せなくなる場合を想定したもので、同じ情報を異なる場所に記録しているものである。
【００１２】
ＤＶＤ-Ｒディスクに記録する場合、ＤＶＤプレーヤでの再生互換を保つために、できるだけ上記のＤＶＤ-ＲＯＭの規定を満足するように記録される。
ＤＶＤ-Ｒディスクでは、Ｒゾーン(ＲＺｏｎｅ)とボーダー(Ｂｏｒｄｅｒ)という概念がある。
【００１３】
図５は、ＤＶＤ−Ｒディスクにおける情報の追記を模式的に示す。ＤＶＤ−Ｒディスクの記録領域は、ＤＶＤ−Ｒディスクの内周から外周へ向かって、Ｒ情報領域４０１（Ｒ−Ｉｎｆｏ．と記す）、リードイン領域４０２（Ｌｅａｄ−Ｉｎ）、データ領域４０３（Ｄａｔａ  Ａｒｅａ）およびリードアウト領域４０４（Ｌｅａｄ−Ｏｕｔ）に分割されている。
Ｒ−Ｉｎｆｏ．は、ＤＶＤ−Ｒディスクに特有の領域であり、パワーキャリブレーション領域４１１（Ｐｏｗｅｒ  Ｃａｌｉｂｒａｔｉｏｎ  Ａｒｅａ，ＰＣＡ）と、記録管理領域４１２（Ｒｅｃｏｒｄｉｎｇ  Ｍａｎａｇｅｍｅｎｔ  Ａｒｅａ、ＲＭＡ）とから構成される。
【００１４】
データ領域４０３は、ユーザデータが記録される領域である。リードイン領域４０２とリードアウト領域４０４は、データ領域４０２にアクセスする際の記録・再生ヘッドのオーバーランに備える緩衝領域である。後述するボーダーイン領域やボーダーアウト領域も、同じく緩衝領域として機能する。
【００１５】
リードイン領域４０２のうち、データ領域４０３に隣接する領域をエクストラ・ボーダー・ゾーン４２１（Ｅｘｔｒａ−Ｂｏｒｄｅｒ  ｚｏｎｅ）と呼び、後述するボーダーイン領域（Ｂｏｒｄｅｒ−Ｉｎ  Ａｒｅａ）とほぼ同じ役割をする。
【００１６】
データ領域４０３のうち、明示的に予約されていない領域をインビジブルＲゾーン
（Ｉｎｖｉｓｉｂｌｅ  ＲＺｏｎｅ）と呼ぶ。新品のＤＶＤ−Ｒディスクでは、データ領域４０３の全体がＩｎｖｉｓｉｂｌｅ  ＲＺｏｎｅである。
【００１７】
これから記録するコンテンツ（例えば、音楽の１曲、映像の１ドラマ、コンピュータデータの１ファイル等）を格納する領域を予約すると、Ｉｎｖｉｓｉｂｌｅ  ＲＺｏｎｅの先頭にＲＺｏｎｅが形成される。コンテンツのデータはＲＺｏｎｅの先頭から順に記録することができる。
【００１８】
コンテンツのサイズが分からない場合には、Ｉｎｖｉｓｉｂｌｅ ＲＺｏｎｅの先頭から順に記録することができる。
コンテンツを記録し終わったＤＶＤ−ＲディスクをＤＶＤプレイヤで再生できる状態にするには、再生したい領域と、その両側の緩衝領域とを合わせた領域を記録済みにする必要がある。一般的にＤＶＤプレイヤは、ＤＶＤ−Ｒディスクのカッティング情報を読み出すことができず、ランドに記録されたピット情報だけを手がかりにして、記録されたデータを再生するからである。この目的のために、予約したＲＺｏｎｅに未記録領域が残っていれば０埋めデータで記録済みにし（これをＲＺｏｎｅのクローズと呼ぶ）、その記録済みのＲＺｏｎｅを挟むようにエクストラ・ボーダー・ゾーン（もしくはボーダーイン領域）とボーダーアウト領域に所定のデータを記録する（これをボーダーのクローズと呼ぶ）。
ボーダーアウト領域の外側に隣接する領域は、次に記録されるユーザデータに関するボーダーイン領域として空けておく。従って、Ｉｎｖｉｓｉｂｌｅ  ＲＺｏｎｅはそのボーダーイン領域の外側から始まることになる。ここで、隣接するボーダーアウト領域とボーダーイン領域を合わせて、ボーダーゾーン（Ｂｏｒｄｅｒ  Ｚｏｎｅ）と呼ぶ。
【００１９】
さらにコンテンツをＤＶＤ−Ｒディスクに追加する場合、Ｉｎｖｉｓｉｂｌｅ ＲＺｏｎｅの先頭から順にコンテンツのデータが記録される。全てのコンテンツをＤＶＤ−Ｒディスクに記録し終えれば、上述したボーダークローズに加えて、リードアウト領域を記録する（これをファイナライズと呼ぶ）。ファイナライズされたＤＶＤ−Ｒディスクは、これ以上データを追加することはできない。
【００２０】
さて、ユーザーが記録したい容量は年々増加しており、この要求に応えるべく２層の記録層を持つＤＶＤ−Ｒの開発が進められている。２層ＤＶＤ-Ｒディスクの記録領域を図６に示す。
【００２１】
一層目は、単層のＤＶＤ-Ｒディスクに対して、Ｌｅａｄ-ＯｕｔがＭｉｄｄｌｅ−Ａｒｅａに変更されている。二層目は、一層目とほぼ同じ構造であるが、Ｌｅａｄ-ｉｎの代わりにＬｅａｄ-Ｏｕｔが設けられる。一層目は、内周側から外周側に向かって記録され、二層目は外周側から内周側に向かって記録される。
【００２２】
二層目の記録特性は、一層目が記録か未記録かで異なってくることが知られている。そこで、二層目の記録は一層目が記録されたエリアを通して行うことにすれば、記録特性の変化を気にする必要がなくなる。この時、図７のようにレーザー光が一層目を通して二層目に届く際に光束が集光されて届くので、一層目が記録されたエリアの幅に対して、二層目の記録可能な幅は狭いものとなる。これは、一層目と二層目の製造上の誤差を考慮するとさらに狭くする必要がある。
【００２３】
一層目がある程度記録された時点でその記録したエリアを通して二層目を記録するようにすれば、図７に示すように、一、二層とも内周側から記録できるので利便性が高まる。図７では、1)から6)へと順番に矢印の向きに記録される。
【００２４】
図８に、２層ＤＶＤ−Ｒディスクに複数のボーダーで記録した場合の例を示す。この時、ＡＶＤＰは図中の８０１〜８０６の位置に記録される。
【特許文献１】特開２００２−３５２５１８号公報
【発明の開示】
【発明が解決しようとする課題】
【００２５】
図８のように複数のボーダーで記録された２層ＤＶＤ−Ｒディスクを再生する際には、次の２つの問題がある。
１．上位装置がＡＶＤＰにアクセスすると、図８の８０１〜８０３のいずれかの位置のセクタの内容が読み出されるが、本来読み出したいのは、後で記録したボーダーの情報８０４〜８０６である。
【００２６】
２．図８の８０１〜８０３、８０４〜８０６は、いずれもディスク半径位置の極めて隣接した場所に記録されていることが多い。もしも、Ｓ＋２５６の近傍位置にディスクの欠陥が発生した場合には、８０４〜８０６の全てのＡＶＤＰが読み出し不能になることも考えられるので、記録位置を複数設けている意味がない。
【００２７】
本発明は、これらの問題を解決することを目的としてなされたものである。
【課題を解決するための手段】
【００２８】
そこで上記課題を解決するために本発明は、下記の装置及び記録媒体を提供するもの
である。
（１）複数の記録層を持つ追記型の光ディスクのボーダーエリアの最外周の近傍位置に、ファイルシステムの位置情報にかかる情報を記録することを特徴とする光ディスク記録装置。
（２）複数の記録層を持つ追記型の光ディスクのボーダーエリアの最外周の近傍位置に、ファイルシステムの位置情報にかかる情報を記録し、さらにボーダーイン領域とボーダーアウト領域にボーダー内でファイルシステムの位置情報にかかる情報を記録した位置にかかる情報を記録することを特徴とする光ディスク記録装置。
（３）（１）に記載の光ディスク記録装置にて記録したディスクを再生する光ディスク再生装置であって、上位装置から、他の位置に記録されたファイルシステムの位置情報にかかる情報を読み出す命令を受け取った際に、その他の位置に記録された情報を読み出すかあるいはまたボーダーエリアの最外周の近傍位置に記録されたファイルシステムの位置情報にかかる情報を読み出すことを特徴とする光ディスク再生装置。
（４）（２）に記載の光ディスク記録装置にて記録したディスクを再生する光ディスク再生装置であって、上位装置から、他の位置に記録されたファイルシステムの位置情報にかかる情報を読み出す命令を受け取った際に、最外周のボーダーのボーダーイン領域あるいはまたボーダーアウト領域に記録されたボーダー内でファイルシステムの位置情報にかかる情報を記録した位置にかかる情報を読み取って、その情報の位置のデータあるいはまたそのボーダーの最外周の近傍位置に記録されたファイルシステムの位置情報にかかる情報を読み出すことを特徴とする光ディスク再生装置。
（５）最外周の近傍位置がボーダーアウト領域であること特徴とする（１）または（２）に記載の光ディスク記録装置。
（６）最外周の近傍位置がボーダーアウト領域であること特徴とする（３）または（４）に記載の光ディスク再生装置。
（７）（１）または（２）または（５）に記載の光ディスク記録装置にて記録された、複数の記録層を持つ追記型の光ディスク。
【発明の効果】
【００２９】
本発明によれば、ＡＶＤＰの情報のコピーをボーダーアウトに記録するようにしたので、ＡＶＤＰが記録される他のセクタとは、ＤＶＤ−Ｒディスクの半径位置で離れた場所に記録され、ディスクの傷等に対する耐性が高まる。
【００３０】
また、本発明によれば、ＤＶＤ−Ｒディスクに複数のボーダーがある場合に、上位装置から論理アドレス２５６、Ｎ、Ｎ−２５６の読み取り命令を受け取った際に、最外周のボーダーの所定の位置に記録されたＡＶＤＰまたはそのボーダーのボーダーアウト領域に記録されたＡＶＤＰのコピーを上位装置に送るようにしたので、上位装置が複数のボーダーの存在を意識することなく、ＡＶＤＰを得ることが出来るという利便性がある。
【発明を実施するための最良の形態】
【００３１】
以下、図面を参照して本発明の実施の形態を説明する。
【実施例】
【００３２】
第一の実施例を図面を参照しながら説明する。
図１は、本発明の一実施例のシステム７００の構成例である。システム７００は、上位装置１と、光ディスク装置２（記録装置）と、二層の記録層を持ったＤＶＤ-Ｒディスク３とを含む。上位装置１は、光ディスク装置２にＤＶＤ-Ｒディスク３に対する記録または再生を命令する。上位装置１は、例えば、パーソナルコンピュータである。
【００３３】
上位装置１と光ディスク装置２が同一筐体に収められていてもよい。このような形態は、例えば、光ディスクレコーダーにおいて採用される。ＤＶＤ-Ｒディスク３は、光ディスク装置２に装着される。
【００３４】
光ディスク装置２は、装置全体を制御するマイコン４と、ＤＶＤ-Ｒディスク３への記録と再生を行う記録再生回路５と、マイコン４の制御プログラムが格納されたプログラムメモリ６と、ＤＶＤ-Ｒディスク３へ記録および再生するデータを一時的に保持するＤＲＡＭ７と、それらの構成要素をつなぐ内部バス８から構成される。
【００３５】
記録再生回路５は、ＤＶＤ-Ｒディスク３（複数に記録層を持った情報記録媒体）に管理情報を記録する記録手段として機能する。
図２は、二層の記録層を持ったＤＶＤ-Ｒディスク３の領域の一部を示したものである。
【００３６】
図３は、図１の光ディスク装置２の動作を説明したものである。
図４は、ＤＶＤ-Ｒディスク３のボーダーアウト領域、ボーダーイン領域に記録されるデータの一部を示したものである。
【００３７】
図３（１）は、最内周の一番目のボーダーをクローズする命令を上位装置１から受け取った際の光ディスク装置２の動作を示したものである。光ディスク装置２は、予約したＲＺｏｎｅに未記録領域が残っていれば０埋めデータで記録済みにする。次に、ＤＶＤ−Ｒディスクの論理アドレス番号２５６のセクタと、最終記録論理アドレスＮのセクタとＮ-２５６のセクタのいずれを読み出して、ＡＶＤＰの情報を得る。記録済みのＲＺｏｎｅを挟むようにエクストラ・ボーダー・ゾーンとボーダーアウト領域に所定のデータを記録する。その際に、ボーダーアウト領域に記録するデータの一部に先ほど読み出したＡＶＤＰの情報を加えて記録する。
【００３８】
記録後の状態を図２（１）に示す。また、記録したボーダーアウトの内容の一部を図４（１）に示す。Ｕｎｉｔ Ｐｏｓｉｔｉｏｎ ６の位置に、ＡＶＤＰの内容のコピーが格納されている。
【００３９】
次に上位装置１からの命令で、二番目のボーダーにデータを記録する。この時、新たな
ＡＶＤＰを二番目のボーダーのデータ領域の先頭の論理アドレスＳに対して、Ｓ＋２５６のセクタと、二番目のボーダーの最終記録論理アドレスＭのセクタとＭ-２５６のセクタのいずれか２つ以上のセクタに記録する。
【００４０】
図３（２）は、次に上位装置１から、その二番目のボーダーをクローズする命令を受け取った際の光ディスク装置２の動作を示したものである。光ディスク装置２は、予約したＲＺｏｎｅに未記録領域が残っていれば０埋めデータで記録済みにする。次に、二番目のボーダーのＡＶＤＰが格納されている論理アドレスＳ＋２５６のセクタと、論理アドレスＭのセクタとＭ-２５６のセクタのいずれかを読み出して、ＡＶＤＰの情報を得る。記録済みのＲＺｏｎｅを挟むようにボーダーイン領域とボーダーアウト領域に所定のデータを記録する。その際に、ボーダーアウト領域に記録するデータの一部に先ほど読み出したＡＶＤＰの情報を加えて記録する。さらに、ボーダーイン領域と
ボーダーアウト領域に記録するデータの一部に、ＡＶＤＰが記録されている論理アドレスのＳ＋２５６とＭとＭ−２５６を加えて記録する。
【００４１】
記録後の状態を図２（２）に示す。また、記録したボーダーアウトの内容の一部を図４（２）に示す。Ｕｎｉｔ Ｐｏｓｉｔｉｏｎ ６の位置に、ＡＶＤＰの内容のコピーが格納されている。また、Ｕｎｉｔ Ｐｏｓｉｔｉｏｎ ５、１００の位置には、論理アドレスのＳ＋２５６とＭとＭ−２５６が格納されている。尚、図４（２）では、ボーダーアウトに引き続いてボーダーインが配置されているが、一つのボーダーのボーダーインとボーダーアウトの組は、ボーダーの内周のボーダーインと外周のボーダーアウトであり、図４（２）においても、ボーダーインはボーダーの内周に記録されているものである。
【００４２】
次に、以上のように記録されたＤＶＤ−Ｒディスクが光ディスク装置２から取り出され、再度、光ディスク装置２または別の光ディスク装置２に装着されて、記録データを再生する際の光ディスク装置２の動作を説明する。
【００４３】
図２（１）の状態で取り出されたＤＶＤ−Ｒディスクを再生する際の光ディスク装置２の動作を、図３（３）に示す。上位装置１から、論理アドレス２５６を読み取る命令を受け取った場合、光ディスク装置２は、論理アドレス２５６の記録データを再生する。再生したデータを誤り検出復号して、誤りがないと判断した場合は、そのデータを上位装置１に送る。誤りであると判断した場合は、論理アドレスＮの記録データを再生し、同様に誤りの有無を判断する。誤りである場合は、Ｎ―２５６の記録データを再生する。以上の全てが誤りであると判断した場合、図２（１）のボーダーアウト領域２０１内のＡＶＤＰのコピーを読み出す。ボーダーアウト領域２０１は、論理アドレス２５６、Ｎ、Ｎ−２５６とはＤＶＤ−Ｒディスクの半径位置で離れた場所にあるため、論理アドレス２５６、Ｎ、Ｎ−２５６の全てが誤りありと判断される場合でも、誤りなく再生できる可能性が高い。
【００４４】
図２（２）の状態で取り出されたＤＶＤ−Ｒディスクを再生する際の光ディスク装置２の動作を、図３（４）に示す。上位装置１から、論理アドレス２５６を読み取る命令を受け取った場合、光ディスク装置２は、二番目のボーダーがあることを判別して、二番目のボーダーのボーダーイン領域２０２のＵｎｉｔ Ｐｏｓｉｔｉｏｎ１００のデータを再生する。再生したデータを誤り検出復号して、誤りがあると判断した場合は、さらに二番目のボーダーのボーダーアウト領域２０３のＵｎｉｔ Ｐｏｓｉｔｉｏｎ５のデータを再生する。再生したデータに誤りの無い方のデータを採用し、その中に格納されている論理アドレスＳ＋２５６とＭとＭ−２５６を得る。次に、光ディスク装置２は、領域論理アドレスＳ＋２５６の記録データを再生する。再生したデータを誤り検出復号して、誤りがないと判断した場合は、そのデータを上位装置１に送る。誤りであると判断した場合は、論理アドレスＭの記録データを再生し、同様に誤りの有無を判断する。誤りである場合は、
Ｍ―２５６の記録データを再生する。以上の全てが誤りであると判断した場合、図２（１）のボーダーアウト領域２０３内のＡＶＤＰのコピーを読み出す。ボーダーアウト領域２０３は、論理アドレスＳ＋２５６、Ｍ、Ｍ−２５６とはＤＶＤ−Ｒディスクの半径位置で離れた場所にあるため、論理アドレスＳ＋２５６、Ｍ、Ｍ−２５６の全てが誤りありと判断される場合でも、誤りなく再生できる可能性が高い。
【００４５】
尚、本実施例では、ＡＶＤＰの情報のコピーをボーダーアウト領域に記録しているが、本発明はこれに限定されるものではなく、例えばボーダー内で最外周の近傍に特別な領域を設けることにして、そこに記録してもよい。
【図面の簡単な説明】
【００４６】
【図１】本発明の一実施例のシステム構成図である。
【図２】本発明の２層ＤＶＤ−Ｒディスクの領域の一部を示した図である。
【図３】本発明の一実施例の動作を説明した図である。
【図４】本発明の２層ＤＶＤ−Ｒディスクのボーダーアウト領域、ボーダーイン領域に記録されるデータの一部を示した図である。
【図５】従来のＤＶＤ−Ｒディスクにおける情報の追記を模式的に示した図である。
【図６】従来の２層ＤＶＤ−Ｒディスクの記録領域を示した図である。
【図７】従来の２層ＤＶＤ−Ｒディスクへの記録した様子を示した図である。
【図８】２層ＤＶＤ−Ｒディスクに複数のボーダーで記録した場合の例を示す図である。
【符号の説明】
【００４７】
１  上位装置
２  光ディスク装置
３  ＤＶＤ−Ｒディスク
４  マイコン
５  記録再生回路
６  プログラムメモリ
７  ＤＲＡＭ
８  内部バス
【図１】
2006114188.tif 000003
【図２】
2006114188.tif 000004
【図３】
2006114188.tif 000005
【図４】
2006114188.tif 000006
【図５】
2006114188.tif 000007
【図６】
2006114188.tif 000008
【図７】
2006114188.tif 000009
【図８】
2006114188.tif 000010